(57)【要約】【課題】現像電極および中継電極の破損を防止することができる画像形成装置、その画像形成装置に装着されるプロセスカートリッジ、および、そのプロセスカートリッジに備えられる像担持体カートリッジを提供すること。【解決手段】  現像カートリッジ１３を収容するドラムカートリッジ１２において、現像カートリッジ１３の装着軌跡外に中継電極４１を設け、その中継電極４１を、現像カートリッジ１３がドラムカートリッジ１２に装着されているときに、現像カートリッジ１３の装着軌跡上に向かって進出させ、現像カートリッジ１３がドラムカートリッジ１２から離脱されているときに、現像カートリッジ１３の装着軌跡上から退避させる。【選択図】図４
2010224483.tif 000002
【特許請求の範囲】
【請求項１】
本体電極を有する画像形成装置本体に対して着脱自在に設けられており、現像電極を有する現像カートリッジを着脱自在に収容する像担持体カートリッジであって、
筐体と、
前記筐体内において前記現像カートリッジの装着軌跡外に設けられ、前記現像カートリッジが前記像担持体カートリッジに装着されているときに、前記現像電極と前記本体電極とを電気的に接続する中継電極とを備え、
前記中継電極は、
前記現像カートリッジが前記像担持体カートリッジに装着されているときには、前記現像カートリッジの装着軌跡上に向かって進出して、前記現像電極と前記本体電極とを電気的に接続する進出位置に配置され、
前記現像カートリッジが前記像担持体カートリッジから離脱されているときには、前記現像カートリッジの装着軌跡上から退避して、退避位置に配置されることを特徴とする、像担持体カートリッジ。
【請求項２】
前記中継電極は、
導電性の本体部材、および、
回動することによって、前記本体部材を、前記現像カートリッジの装着軌跡上に対して進退させる回動部材を備え、
前記回動部材は、
前記現像カートリッジが前記像担持体カートリッジに装着されているときには、前記現像カートリッジと当接して、前記本体部材を前記現像カートリッジの装着軌跡上に向かって進出させるように回動し、
前記現像カートリッジが前記像担持体カートリッジから離脱されているときには、前記現像カートリッジとの当接が解除されて、前記本体部材を前記現像カートリッジの装着軌跡上から退避させるように回動することを特徴とする、請求項１に記載の像担持体カートリッジ。
【請求項３】
前記回動部材は、
前記現像カートリッジが前記像担持体カートリッジに装着されているときに、前記現像カートリッジと当接する当接部、
前記当接部と間隔を隔てて配置され、前記現像カートリッジの前記当接部への当接方向と反対方向に向かって前記本体部材を押圧する押圧部、
前記当接部と前記押圧部との間に配置され、前記回動部材を回動自在に支持する軸部、および、
前記軸部に対して対向配置され、前記軸部との間において前記本体部材を支持する支持部を備え、
前記本体部材は、弾性を有し、前記現像カートリッジの前記当接部への当接方向と直交する方向に沿って設けられており、
その長手方向一端部に設けられ、前記現像電極と接触する現像側接点、
前記現像側接点よりも長手方向他端側において、前記現像側接点と間隔を隔てるように設けられ、前記支持部に支持される被支持部、および、
前記現像側接点と前記被支持部との間において、前記押圧部に押圧される被押圧部を備えることを特徴とする、請求項２に記載の像担持体カートリッジ。
【請求項４】
前記中継電極は、前記本体部材の前記長手方向他端部と前記本体電極とを電気的に接続する本体側接点を備え、
前記本体側接点は、前記本体部材の前記長手方向他端部と接触するとともに、前記本体電極に向かって露出されるように、前記本体部材の前記長手方向他端側に位置固定されていることを特徴とする、請求項３に記載の像担持体カートリッジ。
【請求項５】
前記回動部材は、導電性を有し、前記本体部材と導通されており、前記現像カートリッジが前記像担持体カートリッジに装着されたときに、前記筐体から前記本体電極に向かって突出する本体側接点を備え、
前記本体側接点は、
前記現像カートリッジが前記像担持体カートリッジに装着されたときに、前記筐体から前記本体電極に向かって突出して前記本体電極に当接し、
前記現像カートリッジが前記像担持体カートリッジから離脱されたときに、前記筐体内に収容されて前記本体電極との当接が解除されることを特徴とする、請求項３に記載の像担持体カートリッジ。
【請求項６】
前記中継電極を被覆する被覆部材を備え、
前記被覆部材には、
前記現像側接点を前記現像電極に向かって露出させる開口部が形成され、
前記被覆部材は、
前記現像カートリッジと前記当接部との当接を案内するガイド部を備えていることを特徴とする、請求項３ないし５のいずれかに記載の像担持体カートリッジ。
【請求項７】
前記筐体は、前記現像カートリッジの装着軌跡外において、前記中継電極を収容する電極収容部を備えていることを特徴とする、請求項１ないし６のいずれかに記載の像担持体カートリッジ。
【請求項８】
請求項１ないし７のいずれかに記載の像担持体カートリッジと現像カートリッジとを備えることを特徴とする、プロセスカートリッジ。
【請求項９】
請求項８に記載のプロセスカートリッジを備えることを特徴とする、画像形成装置。
【発明の詳細な説明】
【技術分野】
【０００１】
本発明は、電子写真方式のプリンタなどの画像形成装置、その画像形成装置に装着されるプロセスカートリッジ、および、そのプロセスカートリッジに備えられる像担持体カートリッジに関する。
【背景技術】
【０００２】
電子写真方式のプリンタに装着されるプロセスカートリッジとして、例えば、装置本体に対して着脱自在に装着され、感光ドラムを回転可能に支持するドラムカートリッジと、ドラムカートリッジに着脱自在に設けられ、感光ドラムに現像剤を供給する現像ローラを回転可能に支持する現像カートリッジとを備えるプロセスカートリッジが知られている。
このようなプロセスカートリッジとして、現像カートリッジにおいて、ドラムカートリッジの側壁よりも外側に向かって突出するように、現像ローラ電極を形成しておき、現像カートリッジをドラムカートリッジに装着したときに、その現像ローラ電極を装置本体の現像ローラ接点に接触させて、現像ローラに現像バイアスを供給するプロセスカートリッジが知られている（たとえば、特許文献１参照。）。
【先行技術文献】
【特許文献】
【０００３】
【特許文献１】特開２００６−７２２８４号公報
【発明の概要】
【発明が解決しようとする課題】
【０００４】
しかるに、上記した特許文献１に記載のプロセスカートリッジでは、現像ローラ電極を、ドラムカートリッジの側壁よりも外側の現像ローラ接点に向かって突出させるように形成している。
そのため、プロセスカートリッジを本体ケーシングに対して着脱させるときに、現像ローラ電極が、本体ケーシング内において周辺の部材と干渉しやすく、破損するおそれがある。
【０００５】
これを解決するために、例えば、現像ローラ電極と現像ローラ接点とを中継する中継電極をドラムカートリッジに設けて、現像ローラ電極を中継電極に向かって突出させないように形成する一方、中継電極を現像ローラ電極に向かって突出するように形成して、プロセスカートリッジの着脱時に現像ローラ電極が周辺の部材と干渉することを防止することが検討される。
【０００６】
しかし、この場合にも、中継電極が、現像ローラ電極に向かって突出しているので、周辺の部材と干渉して破損するおそれがある。
そこで、本発明の目的は、現像電極および中継電極の破損を防止することができる画像形成装置、その画像形成装置に装着されるプロセスカートリッジ、および、そのプロセスカートリッジに備えられる像担持体カートリッジを提供することにある。
【課題を解決するための手段】
【０００７】
上記目的を達成するため、請求項１に記載の発明は、本体電極を有する画像形成装置本体に対して着脱自在に設けられており、現像電極を有する現像カートリッジを着脱自在に収容する像担持体カートリッジであって、筐体と、前記筐体内において前記現像カートリッジの装着軌跡外に設けられ、前記現像カートリッジが前記像担持体カートリッジに装着されているときに、前記現像電極と前記本体電極とを電気的に接続する中継電極とを備え、前記中継電極は、前記現像カートリッジが前記像担持体カートリッジに装着されているときには、前記現像カートリッジの装着軌跡上に向かって進出して、前記現像電極と前記本体電極とを電気的に接続する進出位置に配置され、前記現像カートリッジが前記像担持体カートリッジから離脱されているときには、前記現像カートリッジの装着軌跡上から退避して、退避位置に配置されることを特徴としている。
【０００８】
また、請求項２に記載の発明は、請求項１に記載の発明において、前記中継電極は、導電性の本体部材、および、回動することによって、前記本体部材を、前記現像カートリッジの装着軌跡上に対して進退させる回動部材を備え、前記回動部材は、前記現像カートリッジが前記像担持体カートリッジに装着されているときには、前記現像カートリッジと当接して、前記本体部材を前記現像カートリッジの装着軌跡上に向かって進出させるように回動し、前記現像カートリッジが前記像担持体カートリッジから離脱されているときには、前記現像カートリッジとの当接が解除されて、前記本体部材を前記現像カートリッジの装着軌跡上から退避させるように回動することを特徴としている。
【０００９】
また、請求項３に記載の発明は、請求項２に記載の発明において、前記回動部材は、前記現像カートリッジが前記像担持体カートリッジに装着されているときに、前記現像カートリッジと当接する当接部、前記当接部と間隔を隔てて配置され、前記現像カートリッジの前記当接部への当接方向と反対方向に向かって前記本体部材を押圧する押圧部、前記当接部と前記押圧部との間に配置され、前記回動部材を回動自在に支持する軸部、および、前記軸部に対して対向配置され、前記軸部との間において前記本体部材を支持する支持部を備え、前記本体部材は、弾性を有し、前記現像カートリッジの前記当接部への当接方向と直交する方向に沿って設けられており、その長手方向一端部に設けられ、前記現像電極と接触する現像側接点、前記現像側接点よりも長手方向他端側において、前記現像側接点と間隔を隔てるように設けられ、前記支持部に支持される被支持部、および、前記現像側接点と前記被支持部との間において、前記押圧部に押圧される被押圧部を備えることを特徴としている。
【００１０】
また、請求項４に記載の発明は、請求項３に記載の発明において、前記中継電極は、前記本体部材の前記長手方向他端部と前記本体電極とを電気的に接続する本体側接点を備え、前記本体側接点は、前記本体部材の前記長手方向他端部と接触するとともに、前記本体電極に向かって露出されるように、前記本体部材の前記長手方向他端側に位置固定されていることを特徴としている。
【００１１】
また、請求項５に記載の発明は、請求項３に記載の発明において、前記回動部材は、導電性を有し、前記本体部材と導通されており、前記現像カートリッジが前記像担持体カートリッジに装着されたときに、前記筐体から前記本体電極に向かって突出する本体側接点を備え、前記本体側接点は、前記現像カートリッジが前記像担持体カートリッジに装着されたときに、前記筐体から前記本体電極に向かって突出して前記本体電極に当接し、前記現像カートリッジが前記像担持体カートリッジから離脱されたときに、前記筐体内に収容されて前記本体電極との当接が解除されることを特徴としている。
【００１２】
また、請求項６に記載の発明は、請求項３ないし５のいずれかに記載の発明において、前記中継電極を被覆する被覆部材を備え、前記被覆部材には、前記現像側接点を前記現像電極に向かって露出させる開口部が形成され、前記被覆部材は、前記現像カートリッジと前記当接部との当接を案内するガイド部を備えていることを特徴としている。
また、請求項７に記載の発明は、請求項１ないし６のいずれかに記載の発明において、前記筐体は、前記現像カートリッジの装着軌跡外において、前記中継電極を収容する電極収容部を備えていることを特徴としている。
【００１３】
また、請求項８に記載の発明は、プロセスカートリッジであって、請求項１ないし７のいずれかに記載の像担持体カートリッジと現像カートリッジとを備えることを特徴としている。
また、請求項９に記載の発明は、画像形成装置であって、請求項８に記載のプロセスカートリッジを備えることを特徴としている。
【発明の効果】
【００１４】
請求項１に記載の発明によれば、現像カートリッジの装着軌跡外に設けられる中継電極は、現像カートリッジが像担持体カートリッジに装着されているときには、現像カートリッジの装着軌跡上に向かって進出して、現像電極と本体電極とを電気的に接続する進出位置に配置される。
そのため、現像電極を本体電極に向かって突出させることなく、現像電極と本体電極とを電気的に接続することができ、現像電極が周辺の部材と干渉することを防止することができる。
【００１５】
また、中継電極は、現像カートリッジが像担持体カートリッジから離脱されているときには、現像カートリッジの装着軌跡上から退避して、退避位置に配置される。
そのため、現像カートリッジが像担持体カートリッジから離脱されているときには、現像カートリッジの装着軌跡上において、中継電極が周辺の部材と干渉することを防止することができる。
【００１６】
その結果、現像電極および中継電極の破損を防止することができる。
また、請求項２に記載の発明によれば、中継電極は、導電性の本体部材および回動部材を備え、現像カートリッジが像担持体カートリッジに装着されているときには、回動部材は、現像カートリッジと当接して、本体部材を現像カートリッジの装着軌跡上に向かって進出させるように回動する。
【００１７】
また、現像カートリッジが像担持体カートリッジから離脱されているときには、回動部材は、現像カートリッジとの当接が解除されて、本体部材を現像カートリッジの装着軌跡上から退避させるように回動する。
そのため、現像カートリッジの像担持体カートリッジへの着脱に連動させて、本体部材を、現像カートリッジの装着軌跡上に対して進退させることができる。
【００１８】
また、請求項３に記載の発明によれば、回動部材は、当接部、当接部と間隔を隔てて配置される押圧部、当接部と押圧部との間に配置され、回動部材を回動自在に支持する軸部、および、軸部に対して対向配置される支持部を備えている。
本体部材は、弾性を有し、現像カートリッジの当接部への当接方向と直交する方向に沿って設けられており、その長手方向一端部に設けられる現像側接点、現像側接点よりも長手方向他端側において、現像側接点と間隔を隔てるように設けられる被支持部、および、現像側接点と被支持部との間に配置される被押圧部を備えている。
【００１９】
そして、本体部材の被押圧部が回動部材の押圧部に押圧されるように、回動部材の軸部と支持部との間に、本体部材の被支持部が支持されている。
そのため、現像カートリッジが像担持体カートリッジに装着され、現像カートリッジが当接部に当接すると、回動部材が軸部を支点に回動する。
すると、回動部材の押圧部は、現像カートリッジの当接部への当接方向と反対方向（すなわち、現像カートリッジの装着軌跡に向かう方向）に向かって回動し、本体部材の被押圧部を、当接方向と反対方向に向かって押圧する。
【００２０】
すると、本体部材は、その弾性に抗して、被支持部よりも長手方向一端側において、当接方向と反対方向に向かって回動する。
これにより、本体部材の長手方向一端部に設けられる現像側接点は、現像カートリッジの像担持体カートリッジへの装着と連動して、現像カートリッジの装着軌跡上に向かって進出される。
【００２１】
また、現像カートリッジが像担持体カートリッジから離脱され、当接部への現像カートリッジの当接が解除されると、本体部材の弾性により、当接方向と同じ方向に向かって、被支持部よりも長手方向一端側の本体部材が回動する。
これにより、本体部材の長手方向一端部に設けられる現像側接点は、現像カートリッジの像担持体カートリッジへの離脱と連動して、現像カートリッジの装着軌跡上から退避される。
【００２２】
その結果、簡易な構成により、現像カートリッジの像担持体カートリッジへの装着に連動させて、現像側接点と現像電極とを電気的に接続させることができながら、現像カートリッジの像担持体カートリッジからの離脱に連動させて、現像側接点を現像カートリッジの装着軌跡上から退避させることができる。
また、請求項４に記載の発明によれば、中継電極は、本体部材の長手方向他端部と接触する本体側接点を備え、本体側接点は、本体電極に向かって露出されるように、位置固定されている。
【００２３】
そのため、本体電極と本体側接点とを、容易に、接触させることができる。
また、請求項５に記載の発明によれば、回動部材に備えられている本体側接点は、導電性を有し、本体部材と導通されている。
また、本体側接点は、現像カートリッジが像担持体カートリッジに装着されたときに、筐体から本体電極に向かって突出して本体電極に当接し、現像カートリッジが像担持体カートリッジから離脱されたときに、筐体内に収容されて本体電極との当接が解除される。
【００２４】
そのため、現像カートリッジが像担持体カートリッジに装着されたときには、本体側接点と本体電極との導通を確保することができながら、現像カートリッジが像担持体カートリッジから離脱されたときには、本体側接点を筐体内に収容して保護することができる。
また、請求項６に記載の発明によれば、中継電極を被覆する被覆部材を備え、被覆部材には、現像側接点を現像電極に向かって露出させる開口部が形成されている。
【００２５】
そのため、中継電極が周辺の部材と干渉することを確実に防止することができながら、現像カートリッジを像担持体カートリッジに装着したときには、現像側接点を開口部から露出させ、現像電極に接触させることができる。
また、被覆部材は、現像カートリッジと当接部との当接を案内するガイド部を備えている。
【００２６】
そのため、現像カートリッジを像担持体カートリッジに装着したときに、現像カートリッジを当接部に対して確実に当接させることができる。
また、請求項７に記載の発明によれば、中継電極を、確実に、現像カートリッジの装着軌跡外に設けることができる。
また、請求項８に記載の発明によれば、プロセスカートリッジが、請求項１ないし７のいずれかに記載の像担持体カートリッジを備えている。
【００２７】
そのため、現像電極および中継電極の破損を防止することができる。
また、請求項９に記載の発明によれば、画像形成装置が、請求項８に記載のプロセスカートリッジを備えている。
そのため、現像電極および中継電極の破損を防止することができる。
【図面の簡単な説明】
【００２８】
【図１】本発明の画像形成装置の一例としてのプリンタの第１実施形態を示す側断面図である。
【図２】図１に示すプロセスカートリッジの右側から見た分解斜視図である。
【図３】図１に示すプロセスカートリッジの左側から見た分解斜視図である。
【図４】図３に示す電極収容部の断面図であって、（ａ）は、中継電極が現像カートリッジの装着軌跡上から退避した状態を示し、（ｂ）は、中継電極が現像カートリッジの装着軌跡上に向かって進出した状態を示す。
【図５】プロセスカートリッジの本体ケーシングへの装着を説明する説明図であって、プロセスカートリッジが本体ケーシングへ装着される前の状態を示す。
【図６】プロセスカートリッジの本体ケーシングへの装着を説明する説明図であって、プロセスカートリッジが本体ケーシングへ装着された後の状態を示す。
【図７】現像カートリッジのドラムカートリッジへの装着を説明するための説明図であって、現像カートリッジの突起と、中継電極の当接部とが当接する前の状態を示す。
【図８】図７に続く、現像カートリッジのドラムカートリッジへの装着を説明するための説明図であって、現像カートリッジの突起と、中継電極の当接部とが当接し、中継電極が進出した状態を示す。
【図９】図８に続く、現像カートリッジのドラムカートリッジへの装着を説明するための説明図であって、現像電極が、進出した中継電極に接触した状態を示す。
【図１０】第２実施形態における現像カートリッジのドラムカートリッジへの装着を説明するための説明図であって、現像カートリッジの突起と、中継電極の当接部とが当接する前の状態を示す。
【図１１】図１０に続く、現像カートリッジのドラムカートリッジへの装着を説明するための説明図であって、現像カートリッジの突起と、中継電極の当接部とが当接し、中継電極が進出した状態を示す。
【図１２】図１１に続く、現像カートリッジのドラムカートリッジへの装着を説明するための説明図であって、現像電極が、進出した中継電極に接触した状態を示す。
【発明を実施するための形態】
【００２９】
１．プリンタの全体構成
図１は、本発明の画像形成装置の一例としてのプリンタの第１実施形態を示す側断面図である。
プリンタ１は、画像形成装置本体の一例としての本体ケーシング２内に、フィーダ部３および画像形成部４を備えている。
【００３０】
本体ケーシング２の一方側の側壁には、フロントカバー５がその下端部を支点として開閉可能に設けられている。フロントカバー５を開くと、本体ケーシング２の内部空間が開放される。この状態で、プロセスカートリッジ１０（後述）を、本体ケーシング２の内部空間に着脱させることができる。フロントカバー５を閉じると、本体ケーシング２の内部空間が閉鎖される。
【００３１】
なお、以下の説明では、フロントカバー５が設けられる一方側（図１における左側）を前側とし、その反対側（図１における右側）を後側とする。また、プリンタ１を前側から見たときを基準として左右を規定する。さらに、プロセスカートリッジ１０および現像カートリッジ１３（後述）に関しても、本体ケーシング２に対する装着状態を基準として前後左右上下を規定する。
（１）フィーダ部
フィーダ部３は、給紙トレイ６、給紙ローラ７、および１対のレジストローラ８を備えている。
【００３２】
給紙トレイ６内には、用紙Ｐがスタックされている。給紙トレイ６内の最上位にある用紙Ｐは、給紙ローラ７の回転により、レジストローラ８に向けて１枚ずつ給紙される。そして、用紙Ｐは、レジストローラ８によって、レジスト後に、画像形成部４（感光ドラム１４（後述）と転写ローラ１６（後述）との間）へ向けて搬送される。
（２）画像形成部
画像形成部４は、スキャナユニット９、プロセスカートリッジ１０、転写ローラ１６および定着ユニット１１を備えている。
（２−１）スキャナユニット
スキャナユニット９は、本体ケーシング２内の上部に配置されている。スキャナユニット９は、鎖線で示すように、プロセスカートリッジ１０の感光ドラム１４（後述）に向けてレーザビームを出射し、感光ドラム１４（後述）を露光する。
（２−２）プロセスカートリッジ
（２−２−１）プロセスカートリッジの構成
プロセスカートリッジ１０は、スキャナユニット９の下方に配置され、本体ケーシング２に対して着脱自在に設けられている。プロセスカートリッジ１０は、像担持体カートリッジの一例としてのドラムカートリッジ１２と、ドラムカートリッジ１２に着脱自在に収容される現像カートリッジ１３とを備えている。
【００３３】
ドラムカートリッジ１２は、後端部において、感光ドラム１４を回転可能に備えている。また、ドラムカートリッジ１２において、感光ドラム１４の周囲には、スコロトロン型帯電器１５が配置されている。
現像カートリッジ１３は、現像ローラ１７を備えている。
現像ローラ１７は、感光ドラム１４に対して前側から接触するように配置されている。
【００３４】
また、現像ローラ１７の前側には、供給ローラ（図示せず）および層厚規制ブレード（図示せず）が配置されており、それらの前方の空間には、トナーが収容されている。
（２−２−２）プロセスカートリッジでの現像動作
現像カートリッジ１３内のトナーは、供給ローラ（図示せず）に供給され、供給ローラ（図示せず）の回転により、現像ローラ１７に供給される。このとき、トナーは、供給ローラ（図示せず）と現像ローラ１７との間で正極性に摩擦帯電される。こうして現像ローラ１７に供給されたトナーは、現像ローラ１７の回転に伴って、層厚規制ブレード（図示せず）により厚さが規制され、一定厚さの薄層として現像ローラ１７の周面上に担持される。
【００３５】
一方、感光ドラム１４の表面は、感光ドラム１４の回転に伴って、スコロトロン型帯電器１５により一様に正帯電される。そして、その正帯電した感光ドラム１４の表面に、スキャナユニット９からのレーザビームが選択的に照射されることにより、画像データに基づく静電潜像が形成される。
感光ドラム１４の回転により、感光ドラム１４の表面に形成されている静電潜像が現像ローラ１７と対向すると、現像ローラ１７の表面に担持されている正帯電トナーが、その静電潜像に供給される。これにより、静電潜像が可視像化され、感光ドラム１４の表面にトナー像が担持される。
（２−３）転写ローラ
転写ローラ１６は、本体ケーシング２内において、フィーダ部３の上方であって、プロセスカートリッジ１０の後方において、感光ドラム１４と、前後方向に対向するように、設けられている。
【００３６】
そして、フィーダ部３から給紙された用紙Ｐが、感光ドラム１４と転写ローラ１６とが対向する転写位置を通過するように、下方から搬送されると、感光ドラム１４の表面に担持されているトナー像は、感光ドラム１４と転写ローラ１６との間に搬送されてくる用紙Ｐ上に転写される。
（２−４）定着ユニット
定着ユニット１１は、プロセスカートリッジ１０の上方に設けられている。定着ユニット１１は、加熱ローラ１８と、加熱ローラ１８に後方から圧接される加圧ローラ１９とを備えている。
【００３７】
用紙Ｐに転写されたトナー像は、定着ユニット１１において、その用紙Ｐが加熱ローラ１８と加圧ローラ１９との間を通過する間に、加熱および加圧されることによって用紙Ｐに定着する。
（３）排紙
トナー像が定着した用紙Ｐは、排紙ローラ２０に向けて搬送され、排紙ローラ２０によって、本体ケーシング２の上面に形成された排紙トレイ２１上に排紙される。
２．プロセスカートリッジの詳細
図２は、図１に示すプロセスカートリッジの右側から見た分解斜視図である。図３は、図１に示すプロセスカートリッジの左側から見た分解斜視図である。図４は、図３に示す電極収容部の断面図であって、（ａ）は、中継電極が現像カートリッジの装着軌跡上から退避した状態を示し、（ｂ）は、中継電極が現像カートリッジの装着軌跡上に向かって進出した状態を示す。
【００３８】
ドラムカートリッジ１２は、図２および図３に示すように、筐体の一例としてのフレーム３１と、中継電極４１とを備えている。
フレーム３１は、上方が開放された有底枠形状に形成され、後端部において感光ドラム１４およびスコロトロン型帯電器１５を支持している。また、フレーム３１は、底板３３、左右１対の側板３４、および、電極収容部３２を備えている。
【００３９】
底板３３は、平面視略矩形状に形成されている。また、底板３３の左端部は、前端縁から前後方向略中央にわたって、左方に向かって平面視略矩形状に突出するように形成されている。
両側板３４（以下、側板３４について、左右方向における配置に言及する時には、左側の側板３４を左側側板３４Ｌ、右側の側板３４を右側側板３４Ｒとする。）は、底板３３の左右方向両端縁から上方に向かって延び、その後端部において、感光ドラム１４の感光ドラム軸３６を回転自在に支持している。
【００４０】
詳しくは、右側側板３４Ｒは、底板３３の前後方向すべてにわたって、側面視略矩形状に形成されている。また、右側側板３４Ｒは、その前半部分（前端縁から前後方向略中央までの部分）が、その後半部分（前後方向略中央から後端縁までの部分）の約半分の上下方向長さに形成されている。また、右側側板３４Ｒの後半部分には、前半部分と後半部分との境目において前半部分の上端縁から連続して、後方に向かって切欠かれるように、現像ガイド溝３５が形成されている。
【００４１】
左側側板３４Ｌは、底板３３の後端縁から前後方向略中央にわたって、側面視略矩形状に形成されている。また、左側側板３４Ｌは、右側側板３４Ｒの後半部分と、略同一の形状に形成されている。また、左側側板３４Ｌには、前端縁から後方に向かって切欠かれるように、現像ガイド溝３５が形成されている。
現像ガイド溝３５は、前方に向かって開放されるように、側板３４の前端縁から後方に向かって側面視略Ｙ字形状に切欠かれている。
【００４２】
なお、底板３３上であって、両側板３４間には、現像カートリッジ１３が装着される。すなわち、両側板３４間は、現像カートリッジ１３の装着軌跡上である。
電極収容部３２は、左側側板３４Ｌよりも左側（すなわち、現像カートリッジ１３の装着軌跡外）において、底板３３の突出部分上に配置され、略ボックス形状に形成されている。電極収容部３２は、被覆部材の一例としての第１カバー６９、および、被覆部材の一例としての第２カバー３７を備えている。
【００４３】
第１カバー６９は、底板３３の突出部分の後端縁および左端縁に沿って、上方に向かって延び、平面視略Ｌ字形状に形成されている。すなわち、第１カバー６９は、電極収容部３２の後壁および左壁を構成するように設けられ、中継電極４１の後側と左側とを被覆している。
第１カバー６９の左壁の前側には、前後方向に沿う側面視略矩形状の本体側開口部３８が貫通形成されている。また、第１カバー６９は、固定リブ５２（図４（ａ）参照）および軸受部５９（図７参照）を備えている。
【００４４】
固定リブ５２は、本体側開口部３８の前側に配置され、右端面から右方に向かって突出するように形成されている（図４（ａ）参照）。
軸受部５９は、本体側開口部３８の後側に配置され、右端面から右方に向かって突出する平面視半円平板形状に形成されている（図７参照）。また、軸受部５９の中央には、軸部４９（後述）の上端部を回転自在に受け入れる貫通穴が形成されている。
【００４５】
第２カバー３７は、図２に示すように、正面視略Ｌ字形状に形成され、電極収容部３２の上壁および右壁を構成するように設けられている。すなわち、第２カバー３７は、中継電極４１の上側と右側とを被覆している。
また、第２カバー３７には、開口部の一例としての現像側開口部３９が形成されている。また、第２カバー３７は、ガイド部４０を備えている。
【００４６】
現像側開口部３９は、第２カバー３７の右壁の後端部において、前後方向に沿う側面視略矩形状に貫通形成されている。現像側開口部３９は、現像側接点４４（後述）を現像電極６３（後述）に向かって露出させる。
ガイド部４０は、第２カバー３７の右壁において、前端縁から後方に向かって、前方が開放された側面視略Ｙ字形状に切欠かれるように形成されている。ガイド部４０は、現像カートリッジ１３の突起６４（後述）と、中継電極４１の当接部４７（後述）との当接を案内する。
【００４７】
中継電極４１は、図４（ａ）に示すように、電極収容部３２内に収容されており、回動部材４３と、本体部材４２とを備えている。
回動部材４３は、導電性の樹脂からなり、前後方向に沿って延び、前端部が左方に向かって屈曲する平面視略鉤形状に形成され、操作部５７および電極支持部５５を備えている。
【００４８】
操作部５７は、回動部材４３の前側半分部分であり、平面視略鉤形状に形成され、当接部４７および本体側接点５１を備えている。
当接部４７は、操作部５７の右端縁から上方に向かって延びる突条であり、ガイド部４０に対して左右方向に対向している。また、当接部４７は、傾斜部分５３と平行部分５４とを備えている。
【００４９】
傾斜部分５３は、当接部４７の前端部において、後方に向かうに従って右方に向かうように傾斜するように形成されている。
平行部分５４は、傾斜部分５３の後方において、傾斜部分５３と連続して形成され、回動部材４３が左方に向かって回動したときに、前後方向と略平行に延びるように形成されている。
【００５０】
本体側接点５１は、操作部５７の左端部において、左方に向かって延びる平面視略矩形状に形成されている。また、本体側接点５１の左端部は、常には、本体側開口部３８内に収容されている。
電極支持部５５は、回動部材４３の後側半分部分であり、当接部４７の後側において、平面視略凸字形状に形成されている。また、電極支持部５５は、基部５６、および、支持部の一例としての第１支持部５０を備えている。
【００５１】
基部５６は、電極支持部５５の左端部において、前後方向に延びる平面視略矩形状に形成されている。また、基部５６の上下方向長さは、当接部４７とほぼ同じ長さに形成されており、基部５６は、下端部において、操作部５７と連結されている。
また、基部５６は、第２支持部７０、押圧部４８および軸部４９を備えている。
第２支持部７０は、基部５６の前後方向略中央において、右方に向かってわずかに突出する平面視略矩形状に形成されている。
【００５２】
押圧部４８は、基部５６の前端部および後端部において、第２支持部７０と同じ長さで右方に向かってわずかに突出する平面視半円形状に形成されている。
軸部４９は、第２支持部７０の前後方向略中央において、上下方向に延びるように形成されている。
第１支持部５０は、基部５６の右方において、第２支持部７０に対して左右方向に間隔を隔てて対向配置されている。また、第１支持部５０は、基部５６と同じ上下方向長さに形成されている。また、第１支持部５０は、支持突起５８を備えている。また、第１支持部５０は、下端部において、基部５６の下端部と連結されている。
【００５３】
支持突起５８は、第１支持部５０の前後方向略中央において、第１支持部５０の左端面から左方に向かって突出する平面視半円形状に形成されている。
本体部材４２は、回動部材４３の支持突起５８と基部５６との間隔とほぼ同じ厚みの弾性（ばね性）のある金属板から、前後方向に沿って延びる平面視略クランク形状に形成され、現像側接点４４、被支持部４５、被押圧部４６および位置決め部６０を備えている。
【００５４】
現像側接点４４は、本体部材４２の後端部に設けられ、頂角が右方に向かって突出する平面視略三角形状に形成されている。
被支持部４５は、回動部材４３の支持突起５８に対応して、本体部材４２の前後方向略中央に設けられている。すなわち、被支持部４５は、現像側接点４４よりも前方において、現像側接点４４と間隔を隔てるように設けられている。
【００５５】
被押圧部４６は、回動部材４３の押圧部４８に対応して、現像側接点４４と被支持部４５との間において、被支持部４５と前後方向に間隔を隔てて隣接配置されている。
位置決め部６０は、被支持部４５の前側において、略クランク形状に形成されている。詳しくは、被支持部４５から連続して前方に向かって延び、屈曲して左方に向かって延び、さらに屈曲して前方に向かって延びるように形成されている。
【００５６】
そして、本体部材４２は、支持突起５８が被支持部４５に右方から当接し、押圧部４８が被押圧部４６に左方から当接するように、第１支持部５０と第２支持部７０の間において、回動部材４３に支持されている。
これにより、回動部材４３と本体部材４２とは、少なくとも、支持突起５８と被支持部４５との間、および、押圧部４８と被押圧部４６との間において、導通されている。
【００５７】
また、本体部材４２は、位置決め部６０が、回動部材４３の基部５６よりも前方、かつ、当接部４７よりも後方において、左方に向かって屈曲するように、回動部材４３に支持されている。
そして、回動部材４３は、軸部４９の上端部が、軸受部５９に回動自在に支持され、軸部４９の下端部が、底板３３に回動自在に支持されることにより、電極収容部３２内において、回動自在に支持されている。
【００５８】
また、位置決め部６０の左端部は、第１カバー６９の右面に右方から当接し、位置決め部６０の前端部は、第１カバー６９の固定リブ５２の右端縁に右方から当接している。これにより、位置決め部６０は、左方への移動が規制されている。
そして、中継電極４１は、図４（ａ）に示すように、常には、本体部材４２の弾性により、本体部材４２が被支持部４５において屈曲しない退避位置に配置されている。
【００５９】
中継電極４１が退避位置にあるときには、本体側接点５１が本体側開口部３８内に収容されるとともに、現像側接点４４が現像側開口部３９よりも左方に退避している。
また、中継電極４１は、図４（ｂ）に示すように、後述する現像カートリッジ１３がドラムカートリッジ１２に装着されたときには、本体部材４２の弾性に抗して、本体部材４２が被支持部４５において右方へ向かって屈曲する進出位置に配置される。
【００６０】
中継電極４１が進出位置にあるときには、本体側接点５１が本体側開口部３８から左方に進出するとともに、現像側接点４４が現像側開口部３９から右方に進出する。
すなわち、回動部材４３は、回動することによって、本体部材４２の現像側接点４４を現像カートリッジ１３の装着軌跡上に対して進退させる。
現像カートリッジ１３は、図２および図３に示すように、略ボックス形状の現像筐体６１を備えている。
【００６１】
現像筐体６１の後端部には、現像筐体６１の左右両側壁において、現像ローラ軸６５を回転自在に支持する現像ローラ軸挿通穴６６がそれぞれ形成されている。
また、現像筐体６１の後端部には、左右方向ほぼすべてにわたって、後方に向かって開放される開口６２が形成されている。
また、現像筐体６１は、ガイド板６８、現像電極６３および突起６４を備えている。
【００６２】
ガイド板６８は、現像筐体６１の左端面に設けられ、側面視略矩形平板状に形成されている。ガイド板６８は、現像側接点４４の現像側開口部３９からの突出長さよりも厚く形成されている。
現像電極６３は、現像筐体６１の下端部において、ガイド板６８の後端部から後方に向かって延び、屈曲して上方に向かって、現像ローラ軸挿通穴６６の周縁部まで延びるように設けられている。また、現像電極６３は、その前端部において、端子部６７を備えている。
【００６３】
端子部６７は、ガイド板６８の後端部の左端面に設けられ、側面視略矩形状に形成されている。
そして、現像ローラ軸６５が左右方向内方から現像ローラ軸挿通穴６６に挿通されている。これにより、現像電極６３は、現像ローラ軸６５の外周面と電気的に接続されている。また、現像ローラ１７は、開口６２から後方に向かって露出されるように、回転自在に支持されている。
【００６４】
突起６４は、現像電極６３の前側において、間隔を隔てて隣接配置されており、ガイド板６８の左端面から左方に向かって突出する平面視半円形状に形成されている。
３．本体ケーシングの詳細
本体ケーシング２には、プロセス収容部７１が設けられている（図１参照）。
プロセス収容部７１は、図２に示すように、上方が開放された有底枠形状に形成され、底壁７２と、左右一対の側壁７３とを備えている。
【００６５】
底壁７２は、平面視略矩形平板状に形成されている。また、底壁７２の左端部は、前端縁から前後方向略中央にわたって、左方に向かって突出形成されている。
両側壁７３（以下、側壁７３について、左右方向における配置に言及する時には、左側の側壁７３を左側側壁７３Ｌ、右側の側壁７３を右側側壁７３Ｒとする。）は、底壁７２の左右方向両端縁から上方に向かって延び、下側が前方に向かって延びる側面視略矩形平板状に形成され、その後端部において、転写ローラ１６を回転自在に支持している。
【００６６】
詳しくは、両側壁７３は、その前半部分（前端縁から前後方向略中央までの部分）が、その後半部分（前後方向略中央から後端縁までの部分）の約半分の上下方向長さに形成されている。また、両側壁７３の後半部分には、前半部分と後半部分との境目において前半部分の上端縁から連続して、後方に向かって切欠かれるように、プロセスガイド溝７４が形成されている。
【００６７】
プロセスガイド溝７４は、前方に向かって開放されるように、両側壁７３の前端縁から後方に向かって側面視略Ｙ字形状に切欠かれている。
また、左側側壁７３Ｌの前端部は、底壁７２の突出部分の周端縁に沿うように形成され、ドラムカートリッジ１２の電極収容部３２を受け入れる。
また、左側側壁７３Ｌには、本体電極収容部７６が一体的に設けられている。
【００６８】
本体電極収容部７６は、左側側壁７３Ｌの左方に隣接するように、平面視略矩形状に区画されている。また、本体電極収容部７６の左側面には、上端縁から下方に向かって切り込みが形成されている。また、本体電極収容部７６の右側面は、プロセス収容部７１にドラムカートリッジ１２が装着されたときにドラムカートリッジ１２の本体側開口部３８と対向する部分が、切欠かれている。
【００６９】
また、本体電極収容部７６内には、本体電極７５が設けられている。
本体電極７５は、金属板から平面視略Ｓ字形状に形成され、その左端面が左方に向かって露出するように、本体電極収容部７６の切り込みに嵌合されている。また、本体電極７５の右端部の後端部は、頂角が右方に向かって突出する平面視略三角形状に形成され、本体電極収容部７６の切欠き部分から右方に向かって露出している。
４．プロセスカートリッジの本体ケーシングへの装着
図５および図６は、プロセスカートリッジの本体ケーシングへの装着を説明する説明図であって、図５は、プロセスカートリッジが本体ケーシングへ装着される前の状態を示し、図６は、プロセスカートリッジが本体ケーシングへ装着された後の状態を示す。
【００７０】
図７ないし図９は、現像カートリッジのドラムカートリッジへの装着を説明するための説明図であって、図７は、現像カートリッジの突起と、中継電極の当接部とが当接する前の状態を示し、図８は、図７に続いて、現像カートリッジの突起と、中継電極の当接部とが当接し、中継電極が進出した状態を示し、図９は、図８に続いて、現像電極が、進出した中継電極に接触した状態を示す。
【００７１】
プロセスカートリッジ１０を本体ケーシング２に装着するには、図５に示すように、ドラムカートリッジ１２および現像カートリッジ１３を、順次、プロセス収容部７１に装着する。
なお、プロセスカートリッジ１０を本体ケーシング２に装着するには、ドラムカートリッジ１２をプロセス収容部７１に装着してから、現像カートリッジ１３をドラムカートリッジ１２に装着してもよく、また、現像カートリッジ１３をドラムカートリッジ１２に装着してプロセスカートリッジ１０を形成してから、プロセスカートリッジ１０をプロセス収容部７１に装着してもよい。
【００７２】
ここでは、ドラムカートリッジ１２をプロセス収容部７１に装着してから、現像カートリッジ１３をドラムカートリッジ１２に装着する場合について説明する。
ドラムカートリッジ１２をプロセス収容部７１に装着するには、感光ドラム１４を後方に向け、感光ドラム軸３６がプロセスガイド溝７４に嵌合するように位置合わせして、ドラムカートリッジ１２を前方からプロセス収容部７１に挿入する。
【００７３】
すると、図６に示すように、感光ドラム軸３６がプロセスガイド溝７４に案内され、感光ドラム１４が転写ローラ１６に前方から当接されて、ドラムカートリッジ１２のプロセス収容部７１への装着が完了する。
次いで、現像カートリッジ１３をドラムカートリッジ１２に装着するには、現像ローラ１７を後方に向け、現像ローラ軸６５が現像ガイド溝３５に嵌合するように、かつ、現像カートリッジ１３の突起６４が電極収容部３２のガイド部４０に嵌合するように位置合わせして、現像カートリッジ１３を前方からドラムカートリッジ１２に挿入する。
【００７４】
すると、図７に示すように、現像ローラ軸６５が現像ガイド溝３５に案内されるとともに、突起６４が、ガイド部４０に案内されて、回動部材４３の傾斜部分５３に前方から当接する。
そして、さらに現像カートリッジ１３を後方に向かって挿入すると、傾斜部分５３が、突起６４の円弧形状に沿うように、左方に向かって押圧され、回動部材４３は、平面視時計回りに回動する。同時に、本体部材４２の被押圧部４６が、回動部材４３の押圧部４８に左方から押圧され、本体部材４２の被支持部４５よりも前側は、その弾性に抗して、被支持部４５を支点として、右方に向かって屈曲される。
【００７５】
すると、図８に示すように、突起６４が回動部材４３の平行部分５４に右方から当接し、中継電極４１が、進出位置に配置される。
このとき、現像側接点４４は、現像側開口部３９から現像カートリッジ１３の装着軌跡上に進出される。また、現像側接点４４は、現像電極６３の端子部６７の後方に配置される。
【００７６】
また、本体側接点５１は、本体側開口部３８に右方から左方に向かって挿通され、電極収容部３２から本体電極７５に向かって突出して、本体電極７５に右方から当接される。
そして、さらに現像カートリッジ１３を後方に向かって挿入すると、図９に示すように、現像電極６３が前方から現像側接点４４に当接し、現像側接点４４が現像電極６３に乗り上げて、現像側接点４４が左方から現像電極６３に接触される。
【００７７】
これにより、本体電極７５と、現像電極６３とは、中継電極４１を介して電気的に接続される。
なお、このとき、現像ローラ１７は、前方から感光ドラム１４に当接している。
これにより、現像カートリッジ１３のドラムカートリッジ１２への装着が完了する。
また、現像カートリッジ１３をドラムカートリッジ１２から離脱させるには、現像カートリッジ１３をドラムカートリッジ１２から前方に向かって引き抜く。
【００７８】
すると、図８に示すように、現像電極６３が現像側接点４４の前方に配置され、現像電極６３と現像側接点４４との接触が解除される。なお、このとき、現像カートリッジ１３の突起６４は、当接部４７の平行部分５４に当接している。
そして、さらに現像カートリッジ１３を前方に向かって引き抜くと、本体部材４２は、その弾性によって復元し、回動部材４３の押圧部４８を左方に向かって押圧する。これにより、回動部材４３は、傾斜部分５３が突起６４の円弧形状に沿うように、平面視反時計周りに回動する。
【００７９】
すると、図７に示すように、現像側接点４４は、現像カートリッジ１３の装着軌跡上から退避され、現像側開口部３９の左方に配置される。
また、本体側接点５１は、本体電極７５との当接を解除され、本体側開口部３８内に収容される。
そして、さらに現像カートリッジ１３をドラムカートリッジ１２から前方に向かって引き抜くと、現像カートリッジ１３のドラムカートリッジ１２からの離脱が完了する。
５．作用効果
（１）このドラムカートリッジ１２によれば、現像カートリッジ１３の装着軌跡外に設けられる中継電極４１は、図４（ｂ）に示すように、現像カートリッジ１３がドラムカートリッジ１２に装着されているときには、現像カートリッジ１３の装着軌跡上に向かって進出して、現像電極６３と本体電極７５とを電気的に接続する進出位置に配置される。
【００８０】
そのため、現像電極６３を本体電極７５に向かって突出させることなく、現像電極６３と本体電極７５とを電気的に接続することができ、現像電極６３が周辺の部材と干渉することを防止することができる。
また、中継電極４１は、図４（ａ）に示すように、現像カートリッジ１３がドラムカートリッジ１２から離脱されているときには、現像カートリッジ１３の装着軌跡上から退避して、退避位置に配置される。
【００８１】
そのため、現像カートリッジ１３がドラムカートリッジ１２から離脱されているときには、現像カートリッジ１３の装着軌跡上において、中継電極４１が周辺の部材と干渉することを防止することができる。
その結果、現像電極６３および中継電極４１の破損を防止することができる。
（２）このドラムカートリッジ１２によれば、中継電極４１は、図４（ｂ）に示すように、導電性の本体部材４２および回動部材４３を備え、現像カートリッジ１３がドラムカートリッジ１２に装着されているときには、回動部材４３の当接部４７は、現像カートリッジ１３と当接して、本体部材４２の現像側接点４４を現像カートリッジ１３の装着軌跡上に向かって進出させるように回動する。
【００８２】
また、回動部材４３の当接部４７は、図４（ａ）に示すように、現像カートリッジ１３がドラムカートリッジ１２から離脱されているときには、現像カートリッジ１３との当接が解除されて、本体部材４２の現像側接点４４を現像カートリッジ１３の装着軌跡上から退避させるように回動する。
そのため、現像カートリッジ１３のドラムカートリッジ１２への着脱に連動させて、本体部材４２を、現像カートリッジ１３の装着軌跡上に対して進退させることができる。
（３）このドラムカートリッジ１２によれば、図４（ａ）に示すように、回動部材４３は、当接部４７、当接部４７と間隔を隔てて配置される押圧部４８、当接部４７と押圧部４８との間に配置され、回動部材４３を回動自在に支持する軸部４９、および、軸部４９に対して対向配置される第１支持部５０を備えている。
【００８３】
本体部材４２は、弾性を有し、前後方向に沿って設けられており、その後端部に設けられる現像側接点４４、現像側接点４４よりも前側において、現像側接点４４と間隔を隔てるように設けられる被支持部４５、および、現像側接点４４と被支持部４５との間に配置される被押圧部４６を備えている。
そして、本体部材４２の被押圧部４６が回動部材４３の押圧部４８に押圧されるように、回動部材４３の軸部４９と第１支持部５０との間に、本体部材４２の被支持部４５が支持されている。
【００８４】
そのため、現像カートリッジ１３がドラムカートリッジ１２に装着され、現像カートリッジ１３が当接部４７に当接すると、回動部材４３が軸部４９を支点に回動する。
すると、回動部材４３の押圧部４８は、右方に向かって回動し、本体部材４２の被押圧部４６を、右方に向かって押圧する。
すると、本体部材４２は、その弾性に抗して、被支持部４５よりも後側において、右方に向かって回動する。
【００８５】
これにより、本体部材４２の後端部に設けられる現像側接点４４は、現像カートリッジ１３のドラムカートリッジ１２への装着と連動して、現像カートリッジ１３の装着軌跡上に向かって進出される。
また、現像カートリッジ１３がドラムカートリッジ１２から離脱され、当接部４７への現像カートリッジ１３の当接が解除されると、本体部材４２の弾性により、左方に向かって、被支持部４５よりも後側の本体部材４２が回動する。
【００８６】
これにより、本体部材４２の後端部に設けられる現像側接点４４は、現像カートリッジ１３のドラムカートリッジ１２からの離脱と連動して、現像カートリッジ１３の装着軌跡上から退避される。
その結果、簡易な構成により、現像カートリッジ１３のドラムカートリッジ１２への装着に連動させて、現像側接点４４と現像電極６３とを電気的に接続させることができながら、現像カートリッジ１３のドラムカートリッジ１２からの離脱に連動させて、現像側接点４４を現像カートリッジ１３の装着軌跡上から退避させることができる。
（４）また、このドラムカートリッジ１２によれば、回動部材４３に備えられている本体側接点５１は、導電性を有し、本体部材４２と導通されている。
【００８７】
また、本体側接点５１は、現像カートリッジ１３がドラムカートリッジ１２に装着されたときに、電極収容部３２の左端部から本体電極７５に向かって突出して本体電極７５に当接し（図４（ｂ）参照）、現像カートリッジ１３がドラムカートリッジ１２から離脱されたときに、電極収容部３２内に収容されて本体電極７５との当接が解除される（図４（ａ）参照）。
【００８８】
そのため、現像カートリッジ１３がドラムカートリッジ１２に装着されたときには、本体側接点５１と本体電極７５との導通を確保することができながら、現像カートリッジ１３がドラムカートリッジ１２から離脱されたときには、本体側接点５１を電極収容部３２内に収容して保護することができる。
（５）このドラムカートリッジ１２によれば、図２に示すように、中継電極４１を被覆するカバー３７を備え、カバー３７には、現像側接点４４を現像電極６３に向かって露出させる現像側開口部３９が形成されている。
【００８９】
そのため、中継電極４１が周辺の部材と干渉することを確実に防止することができながら、現像カートリッジ１３をドラムカートリッジ１２に装着したときには、現像側接点４４を現像側開口部３９から露出させ、現像電極６３に接触させることができる。
また、カバー３７は、現像カートリッジ１３と当接部４７との当接を案内するガイド部４０を備えている。
【００９０】
そのため、現像カートリッジ１３をドラムカートリッジ１２に装着したときに、現像カートリッジ１３を当接部４７に対して確実に当接させることができる。
（６）このドラムカートリッジ１２によれば、現像カートリッジ１３の装着軌跡外において電極収容部３２が備えられているので、中継電極４１を、確実に、現像カートリッジ１３の装着軌跡外に設けることができる。
６．第２実施形態
図１０ないし図１２は、第２実施形態における現像カートリッジのドラムカートリッジへの装着を説明するための説明図であって、図１０は、現像カートリッジの突起と、中継電極の当接部とが当接する前の状態を示し、図１１は、図１０に続いて、現像カートリッジの突起と、中継電極の当接部とが当接し、中継電極が進出した状態を示し、図１２は、図１１に続いて、現像電極が、進出した中継電極に接触した状態を示す。
【００９１】
なお、第２実施形態において、第１実施形態と同様の部材には、第１実施形態と同様の符号を付し、その説明を省略する。
上記した第１実施形態では、本体側接点５１は、回動部材４３に設けられ、現像カートリッジ１３がドラムカートリッジ１２に装着されたときに、第１カバー６９の本体側開口部３８から本体電極７５に向かって突出するように形成されている。
【００９２】
しかし、第２実施形態のドラムカートリッジ８０では、中継電極８６に備えられる本体側接点８１は、図１０に示されるように、回動部材４３に設けられておらず、本体部材４２の前端部と接触するように、本体部材４２の前側に位置固定されていてもよい。また、この場合には、第１カバー８５には、本体側開口部３８が設けられていなくてもよい。
本体側接点８１は、金属板から、後方に向かって開放された平面視略Ｕ字形状に形成され、第１カバー６９の前端部を挟持し、第１カバー６９の前端部に位置固定されている。これにより、本体側接点８１の左端面は、第１カバー６９の左端面よりも左方に配置され、本体電極７５に向かって露出される。
【００９３】
また、本体側接点８１の右端面は、第１カバー６９の右端面よりも右方に配置されており、前端部において、右方に向かって突出する平面視略半円形状の接点部８３を備えている。
回動部材８２は、前後方向に延びる平面視略杆状に形成され、当接部４７を備える平面視略矩形状の操作部８４と、電極支持部５５とを備えている。
【００９４】
第１カバー８５は、底板３３の突出部分の後端縁および左端縁に沿って、上方に向かって延び、平面視略Ｌ字形状に形成されている。
そして、位置決め部６０の左端部は、第１カバー８５の右面に右方から当接し、位置決め部６０の前端部は、接点部８３の右端縁に右方から当接している。これにより、位置決め部６０は、左方への移動が規制されるとともに、本体側接点８１と常に導通されている。
【００９５】
また、ドラムカートリッジ８０がプロセス収容部７１に装着されたときには、本体側接点８１は、図１０に示すように、本体電極７５と常に接触しており、本体側接点８１と本体電極７５とは、常に、電気的に接続されている。
これにより、ドラムカートリッジ８０がプロセス収容部７１に装着されたときには、本体部材４２の前端部と本体電極７５とは、本体側接点８１を介して電気的に接続されている。
【００９６】
そして、現像カートリッジ１３をドラムカートリッジ８０に挿入すると、図１０に示すように、現像ローラ軸６５が現像ガイド溝３５に案内されるとともに、突起６４が、ガイド部４０に案内されて、回動部材８２の傾斜部分５３に前方から当接する。
そして、さらに現像カートリッジ１３を後方に向かって挿入すると、傾斜部分５３が、突起６４の円弧形状に沿うように、左方に向かって押圧され、回動部材８２は、平面視時計回りに回動する。同時に、本体部材４２の被押圧部４６が、回動部材４３の押圧部４８に左方から押圧され、本体部材４２の被支持部４５よりも前側は、その弾性に抗して、被支持部４５を支点として、右方に向かって屈曲される。
【００９７】
すると、図１１に示すように、突起６４が回動部材４３の平行部分５４に右方から当接し、中継電極８６が、進出位置に配置される。
このとき、現像側接点４４は、現像側開口部３９から現像カートリッジ１３の装着軌跡上に進出される。また、現像側接点４４は、現像電極６３の端子部６７の後方に配置される。
【００９８】
そして、さらに現像カートリッジ１３を後方に向かって挿入すると、図１２に示すように、現像電極６３が前方から現像側接点４４に当接し、現像側接点４４が現像電極６３に乗り上げて、現像側接点４４が左方から現像電極６３に接触される。
これにより、本体電極７５と、現像電極６３とは、中継電極８６を介して電気的に接続される。
【００９９】
なお、このとき、現像ローラ１７は、前方から感光ドラム１４に当接している。
これにより、現像カートリッジ１３のドラムカートリッジ８０への装着が完了する。
また、現像カートリッジ１３をドラムカートリッジ８０から離脱させるには、現像カートリッジ１３をドラムカートリッジ８０から前方に向かって引き抜く。
すると、図１１に示すように、現像電極６３が現像側接点４４の前方に配置され、現像電極６３と現像側接点４４との接触が解除される。なお、このとき、現像カートリッジ１３の突起６４は、当接部４７の平行部分５４に当接している。
【０１００】
そして、さらに現像カートリッジ１３を前方に向かって引き抜くと、本体部材４２は、その弾性によって復元し、回動部材８２の押圧部４８を左方に向かって押圧する。これにより、回動部材８２は、傾斜部分５３が突起６４の円弧形状に沿うように、平面視反時計周りに回動する。
すると、図１０に示すように、現像側接点４４は、現像カートリッジ１３の装着軌跡上から退避され、現像側開口部３９の左方に配置される。
【０１０１】
そして、さらに現像カートリッジ１３を前方に向かって引き抜くと、現像カートリッジ１３のドラムカートリッジ８０からの離脱が完了する。
第２実施形態によれば、中継電極８６は、本体部材４２の前端部と接触する本体側接点８１を備え、本体側接点８１は、本体電極７５に向かって露出されるように、位置固定されている。
【０１０２】
そのため、上記した第１実施形態と同様の作用効果を得ることができながら、本体電極７５と本体側接点８１とを、容易に、接触させることができる。
【符号の説明】
【０１０３】
１      プリンタ
２      本体ケーシング
１０    プロセスカートリッジ
１２    ドラムカートリッジ
１３    現像カートリッジ
３１    フレーム
３２    電極収容部
３７    第２カバー
３９    現像側開口部
４０    ガイド部
４１    中継電極
４２    本体部材
４３    回動部材
４４    現像側接点
４５    被支持部
４６    被押圧部
４７    当接部
４８    押圧部
４９    軸部
５０    第１支持部
５１    本体側接点
６３    現像電極
６９    第１カバー
７５    本体電極
８０    ドラムカートリッジ
８１    本体側接点
８２    回動部材
８５    第１カバー
８６    中継電極
【図１】
2010224483.tif 000003
【図２】
2010224483.tif 000004
【図３】
2010224483.tif 000005
【図４】
2010224483.tif 000006
【図５】
2010224483.tif 000007
【図６】
2010224483.tif 000008
【図７】
2010224483.tif 000009
【図８】
2010224483.tif 000010
【図９】
2010224483.tif 000011
【図１０】
2010224483.tif 000012
【図１１】
2010224483.tif 000013
【図１２】
2010224483.tif 000014